【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
a)接合面においてポリＬ−乳酸が付着している第１部材と、
b)前記第１部材の接合面に接合される接合面においてポリＤ−乳酸が付着している第２部材とを備え、
前記第１部材の接合面と前記第２部材の接合面の間に、前記ポリＬ−乳酸と前記ポリＤ−乳酸により形成されたステレオコンプレックス構造を有することを特徴とする接合構造体。
【請求項２】
前記第１部材の接合面及び前記第２部材の接合面に、前記ポリＬ−乳酸及び前記ポリＤ−乳酸がそれぞれ側鎖として結合していることを特徴とする請求項１に記載の接合構造体。
【請求項３】
前記第１部材の接合面及び前記第２部材の接合面に、前記ポリＬ−乳酸及び前記ポリＤ−乳酸が、それぞれ物理吸着していることを特徴とする請求項１に記載の接合構造体。
【請求項４】
前記第１部材の接合面と前記第２部材の接合面との間に導入される、ポリ乳酸が溶解可能な溶媒から成る接合補助剤を更に備えることを特徴とする請求項１〜３のいずれかに記載の接合構造体。
【請求項５】
前記接合補助剤が、表面にポリＬ−乳酸が側鎖として結合している第１ナノ粒子と、表面にポリＤ−乳酸が側鎖として結合している第２ナノ粒子を含むことを特徴とする請求項４に記載の接合構造体。
【請求項６】
a)接合面においてポリ乳酸の一方の鏡像異性体が付着している第１部材と、
b)前記第１部材の接合面に接合される接合面においてポリ乳酸の一方の鏡像異性体が付着している第２部材と、
c)前記第１部材の接合面と前記第２部材の接合面との間に導入される、ポリ乳酸の他方の鏡像異性体が側鎖として表面に結合しているナノ粒子を含む、ポリ乳酸が溶解可能な溶媒から成る接合補助剤と
を備えることを特徴とする接合構造体。
【請求項７】
前記第１部材の接合面及び前記第２部材の接合面に、前記ポリ乳酸の一方の鏡像異性体が側鎖として結合していることを特徴とする請求項６に記載の接合構造体。
【請求項８】
前記第１部材の接合面及び前記第２部材の接合面に、前記ポリ乳酸の一方の鏡像異性体が物理吸着していることを特徴とする請求項６に記載の接合構造体。
【請求項９】
前記ナノ粒子が金属ナノ粒子であることを特徴とする請求項５〜８のいずれかに記載の接合構造体。
【請求項１０】
前記金属ナノ粒子が、直径が10nm〜100nmの金ナノ粒子であることを特徴とする請求項９に記載の接合構造体。
【請求項１１】
前記接合補助剤の溶媒が、水、ジメチルカーボネート、ジメチルコハク酸、ジメチルマレイン酸、ジメチルアジピン酸、及びジメチルグルタル酸から選ばれる１種又は複数種から成ることを特徴とする請求項４〜１０のいずれかに記載の接合構造体。
【請求項１２】
前記第１部材及び前記第２部材の少なくとも一方が、ポリマーから構成されていることを特徴とする請求項１〜１１のいずれかに記載の接合構造体。
【請求項１３】
a)第１部材の表面に位置する接合面に、ポリＬ−乳酸を側鎖として結合させ、
b)第２部材の表面に位置する接合面に、ポリＤ−乳酸を側鎖として結合させ、
c)前記ポリＬ−乳酸の側鎖と前記ポリＤ−乳酸の側鎖との間でステレオコンプレックス構造を形成させることにより、前記第１部材の接合面と前記第２部材の接合面を接合する接合方法。
【請求項１４】
a)第１部材の表面に位置する接合面に、ポリＬ−乳酸を含む溶液をディップコートすることにより該ポリＬ−乳酸を前記接合面に物理吸着させ、
b)第２部材の表面に位置する接合面に、ポリＤ−乳酸を含む溶液をディップコートすることにより該ポリＤ−乳酸を前記接合面に物理吸着させ、
c)前記ポリＬ−乳酸と前記ポリＤ−乳酸との間でステレオコンプレックス構造を形成させることにより、前記第１部材の接合面と前記第２部材の接合面を接合する接合方法。
【請求項１５】
前記第１部材の接合面と、前記第２部材の接合面との間に、ポリ乳酸が溶解可能な溶媒から成る接合補助剤を導入することを特徴とする請求項１３又は１４に記載の接合方法。
【請求項１６】
前記接合補助剤が、表面にポリＬ−乳酸が側鎖として結合している第１ナノ粒子と、表面にポリＤ−乳酸が側鎖として結合している第２ナノ粒子とを含むことを特徴とする請求項１５に記載の接合方法。
【請求項１７】
a)第１部材の表面に位置する接合面に、ポリ乳酸の一方の鏡像異性体を側鎖として結合させ、
b)第２部材の表面に位置する接合面に、ポリ乳酸の一方の鏡像異性体を側鎖として結合させ、
c)前記第１部材の接合面と前記第２部材の接合面を対向させ、これら接合面の間に、ポリ乳酸の他方の鏡像異性体が側鎖として表面に結合しているナノ粒子を含む、ポリ乳酸が溶解可能な溶媒から成る接合補助剤を導入し、前記第１部材の接合面に結合している側鎖及び前記第２部材の接合面に結合している側鎖と、前記ナノ粒子の表面に結合している側鎖との間でステレオコンプレックス構造を形成させることにより、前記第１部材の接合面と前記第２部材の接合面を接合する接合方法。
【請求項１８】
a)第１部材の表面に位置する接合面に、ポリ乳酸の一方の鏡像異性体を含む溶液をディップコートすることにより該ポリ乳酸を前記接合面に物理吸着させ、
b)第２部材の表面に位置する接合面に、ポリ乳酸の一方の鏡像異性体を含む溶液をディップコートすることにより該ポリ乳酸を前記接合面に物理吸着させ、
c)前記第１部材の接合面と前記第２部材の接合面を対向させ、これら接合面の間に、ポリ乳酸の他方の鏡像異性体が側鎖として表面に結合しているナノ粒子を含む、ポリ乳酸が溶解可能な溶媒から成る接合補助剤を導入し、前記第１部材の接合面に物理吸着しているポリ乳酸及び前記第２部材の接合面に物理吸着しているポリ乳酸と、前記ナノ粒子の表面に結合しているポリ乳酸の側鎖との間でステレオコンプレックス構造を形成させることにより、前記第１部材の接合面と前記第２部材の接合面を接合する接合方法。
【請求項１９】
前記ナノ粒子が金属ナノ粒子であることを特徴とする請求項１６〜１８のいずれかに記載の接合方法。
【請求項２０】
前記金属ナノ粒子が、直径が10nm〜100nmの金ナノ粒子であることを特徴とする請求項１９に記載の接合方法。
【請求項２１】
前記接合補助剤の溶媒が、水、ジメチルカーボネート、ジメチルコハク酸、ジメチルマレイン酸、ジメチルアジピン酸、及びジメチルグルタル酸から選ばれる１種又は複数種から成ることを特徴とする請求項１５〜２０のいずれかに記載の接合方法。
【請求項２２】
前記第１部材及び前記第２部材の少なくとも一方が、ポリマーから構成されていることを特徴とする請求項１３〜２１のいずれかに記載の接合方法。
【請求項２３】
表面にポリ乳酸の一方の鏡像異性体が側鎖として結合している部材を内部に含む、
ポリ乳酸の他方の鏡像異性体を主成分とする樹脂成形品。
【請求項２４】
前記部材が、ナノ粒子であることを特徴とする、請求項２３に記載の樹脂成形品。
【請求項２５】
前記ナノ粒子が金属ナノ粒子であることを特徴とする、請求項２４に記載の樹脂成形品。
【請求項２６】
前記金属ナノ粒子が、直径が10nm〜100nmの金ナノ粒子であることを特徴とする請求項２５に記載の樹脂成形品。
【手続補正２】
【補正対象書類名】明細書
【補正対象項目名】００３９
【補正方法】変更
【補正の内容】
【００３９】
同様に、ポリ乳酸グラフト粒子の表面にポリ乳酸が結合していることを確認するため、赤外吸光分析（ＩＲ）を行った。その結果を図６Ａ及び図６Ｂに示す。図６Ａ及び図６Ｂの（ａ）〜（ｃ）は比較のための試料であり、（ａ）はウンデカンチオール(C11H23SH) 、（ｂ）はC11H23S-金ナノ粒子、（ｃ）はポリＤ−乳酸（PDLA-SH）のＩＲデータを示す。また、（ｄ）はポリＤ−乳酸を結合させた金ナノ粒子のＩＲデータを示す。図６Ａ、図６Ｂの（ｄ）から分かるように、金ナノ粒子の表面にポリ乳酸が結合していることが確認された。
【手続補正３】
【補正対象書類名】明細書
【補正対象項目名】００４１
【補正方法】変更
【補正の内容】
【００４１】
図７（ａ）から明らかなように、ポリＬ−乳酸基板とポリＤ−乳酸基板を、その間に溶媒Ａ、Ｂを介在させて接合したとき（サンプルｃ、ｈ）に、大きい試験力が必要であった（つまり、2枚のポリ乳酸基板が強く接合していた。）。また、溶媒Ａよりも溶媒Ｂの方が、試験力が大きかった。